(57)【要約】【課題】片手で手軽に持ち運びながら携帯電話機の音源をイヤホーンで聴くことができる。また使用する場に捕われずに、いつでも、自由に好きな場所に載置して直ちに外付けスピーカのように使用することができる。【解決手段】外観構成が全体として片手に握ることができる程度に形成された薄型ケース部と、該ケース部に突出形成された保持枠部と、ケース部に設けられた左右一対のスピーカ部材とから成り、一方、内部の電気回路は、ケース部に形成された電源収納部内の電源と、この電源の供給により作動可能でありかつ保持枠部に着脱自在に嵌合保持された携帯電話機と電気的接続手段を介して接続すると共に、携帯電話機が受信した音を、音用信号線を介して増幅する増幅回路と、この増幅回路と電気的に接続する電源スイッチ並びにスピーカ部材から音を出すか、それともイヤホーンから出すかを選択するための切換えスイッチを有する携帯電話機用音拡大携帯ホルダー。【選択図】　図７
2004096289.tif 000002
【特許請求の範囲】
【請求項１】
外観構成が全体として片手に握ることができる程度に形成された薄型ケース部１と、該ケース部に突出形成された保持枠部２，２と、前記ケース部に設けられた左右一対のスピーカ部材１０，１０とから成り、一方、内部の電気回路は、前記ケース部１に形成された電源収納部１５内の電源１６と、この電源１６の供給により作動可能であり、かつ、前記保持枠部２，２に着脱自在に嵌合保持された携帯電話機Ｙと電気的接続手段２２，２３を介して接続すると共に、携帯電話機Ｙが受信した音を、音用信号線を介して増幅する増幅回路２１と、この増幅回路２１と電気的に接続する電源スイッチ４並びにスピーカ部材から音を出すか、それともイヤホーン２４から出すかを選択するための切換えスイッチ１９を有する携帯電話機用音拡大携帯ホルダー。
【請求項２】
請求項１に於いて、スピーカ部材１０，１０は、各基端部がケース部１の左右端部にそれぞれ設けられた支軸１１，１１に回転自在に取り付けられたアーム部１２，１２と、これらのアーム部１２，１２の自由端部にそれぞれ設けられたスピーカ１３，１３とから成ることを特徴とする携帯電話機用音拡大携帯ホルダー。
【請求項３】
請求項１又は請求項２に於いて、スピーカ部材１０，１０のアーム部１２，１２が、ケース部１の左右の側壁１ｂ，１ｂにそれぞれ揃った時には、ケース部１の左右の側壁部に形成した収納切欠６，６に、左右のスピーカ１３，１３がフィット状態に収まることを特徴とする携帯電話機用音拡大携帯ホルダー。
【請求項４】
請求項１に於いて、電気回路を構成する増幅回路２１には、スピーカ部材１０，１０から放出される音量を調節するボリューム１８が電気的に接続していることを特徴とする携帯電話機用音拡大携帯ホルダー。
【請求項５】
請求項１に於いて、ケース部１Ａの下部に突壁部２６を形成し、この突壁部２６の内壁面に左右一対の充電用端子２７，２７を配設してあることを特徴とする携帯電話機用音拡大携帯ホルダー。
【発明の詳細な説明】
【０００１】
【発明の属する技術分野】
本発明は、携帯電話機用音拡大携帯ホルダーに関する。
【０００２】
【従来の技術】
従来、携帯電話機の音源（音声）を拡大する発明としては、携帯電話機用音拡大スタンドボックスが開示されている（特開２００２−１７１３２７号公報に記載）。この公報に記載の実施例の課題は、音楽配信機能付きの携帯電話機を自宅、オフィス、自動車内等においてイヤホーンなしで利用可能にするとともに、専用のスタンドボックスからダイナミックで音質のよい音楽等を聴くことができるようにすることである。そのため音拡大スタンドボックスの構成は、「定置型ボックス本体と、この定置型ボックス本体の正面壁の中央部に突設形成されたＵ字型状の保持枠部と、この保持枠部を基準にして前記正面壁に固定的に配設された左右一対の固定スピーカとから成り、前記ボックス本体には、携帯電話機に内蔵されたスピーカの音声を増幅拡大する機能を備えたアンプを組込み、また、ボックス本体の正面に設けられた保持枠部に、携帯電話機を立てかけてセットした際に充電が行われるように充電用アダプタ端子を設けたこと」を特徴としている。
【０００３】
確かに、この音拡大スタンドボックスは、携帯電話機に外付けスピーカを接続し、携帯電話機の音源（音声，音楽）を拡大することができるので、ダイナミックで音質のよい音楽等を聴くことができるという利点がある。
しかしながら、この音拡大スタンドボックスは、その外観構成が、定置型ボックス本体を基軸にして構成されているため、片手で手軽に持ち運びながらイヤホーンで聴くことができないという問題点があった。また、その内部回路は単純であり、携帯電話機に充電をすることができると言うものの、定置型ボックス本体は電源を内蔵していないので、所定の場所（家庭用交流電源がある所や車両内）でしか使用できないとい問題点があった。さらに、左右一対のスピーカがボックス本体の正面に固定されているため、臨場感を十分に出すことができないという問題点があった。
【０００４】
【発明が解決しようとする課題】
本発明の第１の目的は、音拡大携帯ホルダーＸと携帯電話機Ｙとを、いわばコンポーネント的に簡単に嵌合保持ないし結合させ、かつ、片手で手軽に持ち運びながら携帯電話機の音源をイヤホーンで聴くことができるようにすることである。第２の目的は、使用する場に捕われずに、いつでも、自由に好きな場所に載置して直ちに外付けスピーカのように使用することができることである。第３の目的は、臨場感を十分に出すことができることである。第４の目的は、使用しない時や持ち運びの時、コンパクト化することができることである。その他の目的（第２実施例）は、携帯電話機が電源切れの緊急時、ケース部の内蔵電源で補助的に充電することができることである。
【０００５】
【課題を解決するための手段】
本発明の携帯電話機用音拡大携帯ホルダーは、外観構成が全体として片手に握ることができる程度に形成された薄型ケース部１と、該ケース部に突出形成された保持枠部２，２と、前記ケース部に設けられた左右一対のスピーカ部材１０，１０とから成り、一方、内部の電気回路は、前記ケース部１に形成された電源収納部１５内の電源１６と、この電源１６の供給により作動可能であり、かつ、前記保持枠部２，２に着脱自在に嵌合保持された携帯電話機Ｙと電気的接続手段２２，２３を介して接続すると共に、携帯電話機Ｙが受信した音を、音用信号線を介して増幅する増幅回路２１と、この増幅回路２１と電気的に接続する電源スイッチ４並びにスピーカ部材から音を出すか、それともイヤホーン２４から出すかを選択するための切換えスイッチ１９を有する。
【０００６】
上記構成に於いて、スピーカ部材１０，１０は、各基端部がケース部１の左右端部にそれぞれ設けられた支軸１１，１１に回転自在に取り付けられたアーム部１２，１２と、これらのアーム部１２，１２の自由端部にそれぞれ設けられたスピーカ１３，１３とから成ることを特徴とする。
【０００７】
【発明の実施の形態】
図１乃至６図は、本発明の第１実施例を示す各説明図である。まず図１乃至図５を参照にして音拡大携帯ホルダーＸの外観構成について説明する。ここで「音」とは、携帯電話機Ｙが受信中の相手側の音声又は／及び音楽（保存した音楽も含む）をいう。本実施例の音拡大携帯ホルダーＸは、全体として片手に握ることができる程度の薄型ケース部１の左右に、普通一般に普及している携帯電話機Ｙをそのまま差込み方式で嵌合保持することができる保持枠部２，２を有する。
【０００８】
すなわち、１は薄型ケース部、２はケース部の正面壁１ａの左右端部に側壁１ｂ，１ｂに沿ってかつ前方側にそれぞれ対称的に突設された携帯電話機用の保持枠部である。ケース部２の正面壁１ａは、図２で示すようにやや逆台形状であるが、これは携帯電話機Ｙの断面形状に対応させたものである。したがって、左右の保持枠部２，２が携帯電話機Ｙを嵌合支持できるのであれば、正面壁１ａの形状は、円形、六角形、菱形など特にその形状は問わない。
【０００９】
左右の保持枠部２，２は、図３で示すように内側指向の上下端面鉤状に形成され、正面壁１ａ（或いは側壁１ｂ）の上端部寄りの部位からその下端部に至るまで腕状に連設している。ケース部１の上壁１ｃの左右端部は、図３で示すように対称的に切欠されている。また保持枠部２，２の上端部の離間間隔は、保持枠部２，２の下端部に至るにしたがってと次第に狭くなっている。これは携帯電話機Ｙの一般的な形状に対応させたものである。
【００１０】
ケース部１の上壁１ｃには、左側に入力端子（ジャック）３が、一方、右側に電源用スイッチ４が設けられている。
またケース部１の背面壁１ｄについては、図４で示すように、その左右上端部が、前記上壁１ｃの左右端部と同様に切欠５，５されており、また下部寄りの左右端部には、後述するスピーカ部材１０，１０のスピーカ１３，１３が入り込むことができるように収納切欠６，６が対称的に形成されている。さらに、背面壁１ｄの下端部は、イヤホーン収納部７の形成位置を考慮し、横方向に一部切欠８されている。
【００１１】
次に１０はケース部に開閉自在に軸支された左右一対のスピーカ部材である。これらのスピーカ部材１０，１０は、図２及び図４で示すように、各基端部がケース部１の左右端部にそれぞれ設けられた支軸１１，１１に回転自在に取り付けられた長板状のアーム部１２，１２と、これらのアーム部１２，１２の自由端部に内側にそれぞれ突出するように設けられた同一形態のスピーカ１３，１３とから成る。
【００１２】
各スピーカ１３，１３は、図４で示すようにアーム部１２，１２がケース部１の左右の側壁１ｂ，１ｂにそれぞれ揃った時には、前述したケース部１の収納切欠６，６にフィット状態に収まる。１８は一側壁１ｂに設けられた音量を調節するボリューム、１９は他側壁１ｂに設けられた音出力切換え用の切換えスイッチである。
【００１３】
次に１５はケース部１の中央部に形成された電源１６用の収納部で、この電源収納部１５には、開閉蓋１７が取り外し可能に取り付けられている。
【００１４】
次に図６を参照に内部の電気回路について説明する。前述したように、１６は電源、４は電源用スイッチ、２０は回路基板、２１は回路基板に設けられた増幅回路、１３，１３は増幅回路２１に電気的に接続する左右一対のスピーカ、２２は増幅回路２１に入力端子３を介して電気的に接続するフレキスブルケーブル２３の先端部に設けられたプラグ、１８は増幅回路２１に電気的に接続するボリューム、１９はスピーカから音を出すか、それともイヤホーン２４から出すかを選択するための切換えスイッチである。なお、前記プラグ２２を有するフレキスブルケーブル２３は、携帯電話機Ｙと着脱自在に接続する電気的接続手段の一例に過ぎない。したがって、他端部にもプラグ２２が設けられている。
【００１５】
しかして、前記電源１６は、本実施例の音拡大携帯ホルダーＸが携帯型であるため、単三電池、単四電池などの市販電池が用いられている。また電源用スイッチ４は、プラグ２２，２２が音拡大携帯ホルダーＸの入力端子３並びに携帯電話機Ｙのジャックにそれぞれ差し込まれている状態に於いて、これを「オン」の状態にすると、左右一対のスピーカ１３，１３から携帯電話機Ｙの音（受信中の相手側の音声又は音楽）を拡大して聞くことができる。
【００１６】
したがって、フレキスブルケーブル２３には、例えば受話用の信号線と音楽用の信号線が内装されている。それ故に、増幅回路２１は、携帯電話４で受信した相手の音声を受話用の信号線を介して受け取った場合には、当該受話音声を増幅する。また携帯電話４に配信中の音楽或いは一旦保存した音源としての音楽を音楽用の信号線を介して受け取った場合には、当該音楽を増幅する。
【００１７】
このように増幅回路２１は、電源１６から供給される電圧により作動（駆動）すると共に、携帯電話機Ｙが受信した音信号（音声や音楽）を増幅し、かつ、スピーカ１３，１３に対して増幅信号（音声や音楽）を出力する。ボリューム１８は、その際スピーカ１３，１３から放出する音を調節するために用いられる。また切換えスイッチ１９は、予め回路基板２０に内部的に結線されているイヤホーン２４，２４側に音の出力を切換えるために利用される。
【００１８】
上記構成に於いて、音拡大携帯ホルダーＸを利用して携帯電話機Ｙの音を聞きたい場合には、まず、図１で示すように携帯電話機Ｙを音拡大携帯ホルダーＸの上方からその左右の保持枠部２，２に差込み、かつ、ケース部１の正面壁１ａに沿ってスライド嵌入させる。
【００１９】
そうすると、携帯電話機Ｙは、図７で示すように後端部がケース部１或いは左右の保持枠部２，２から多少突出した所で、ケース部１と保持枠部２，２に係止状態に支持される。
【００２０】
次に電気的接続手段のプラグ２２，２２を、携帯電話機Ｙの出力端子等に差し込む。次にスピーカ１３，１３が水平状態にバランス良く配設されるように左右のアーム部１２，１２を、略９０度回転させる。次いで、電源スイッチ４を「ＯＮ（オン）」にし、またボリューム１８を適宜に調整した上で携帯電話機Ｙの音を聞く。携帯電話機Ｙの音は、前述したように音拡大携帯ホルダーＸに内蔵された電源１６の供給により作動する増幅回路２１によって増幅され、切換えスイッチ如何により、左右のスピーカ１３，１３又はイヤホーン２４，２４から流れる。したがって、音拡大携帯ホルダーＸと携帯電話機Ｙは、いわばコンポーネント的に協働し合うことになる。
【００２１】
そこで、一般的な使用態様は、次の二つに区分けすることができる。一つは、机，テーブルなどの上に置いて音響装置のように使用する場合であり、他の一つは、某電気メーカーのウオークマン（登録商標）のように持ち歩きながらイヤホーン２４，２４で聴く場合である。前者の場合には、図７で示すように左右のスピーカ１３，１３を所望する角度まで開く。一方、イヤホーン２４，２４で聴く場合には、ケース部１の左右の側壁部に形成した収納切欠６，６に、左右のスピーカ１３，１３がフィット状態に収める。
【００２２】
【実施例】
第１実施例に於いて、フレキスブルケーブル２３には、受話用の信号線と音楽用の信号線が内装されているが、もちろん、送話用の信号線も内装しても良い。この場合には、ケース部１又は保持枠部２の適宜箇所にマイクが設けられる。また携帯電話機Ｙは、音拡大携帯ホルダーＸの保持枠部２，２に着脱自在に嵌合保持されるが、この場合携帯電話機Ｙが保持枠部２，２から簡単に外れないように弾性又は弾発性部材を係止手段の一例として保持枠部２，２の内壁面の適宜箇所に取り付けても良い。
【００２３】
次に、この欄では第２実施例について説明する。なお、第２の実施例の説明にあたって、第１実施例と同一又は同様（機能が同一）の部分には、同一又は同様の符号を付し、重複する説明を省略する。
【００２４】
図８乃至図１１に示す第２実施例に於いて、第１実施例と主に異なる点は、携帯電話機Ｙが電源切れを起こした緊急時を考慮し、音拡大携帯ホルダーＸ１に充電機能を付与したことである。
【００２５】
すなわち、図８及び図９で示すように、ケース部１Ａの下部に弧状の突壁部２６を形成し、この突壁部２６の内壁面に左右一対の充電用端子２７，２７を配設してある。これらの充電用端子２７，２７には、携帯電話機Ｙの機種にもよるが、図１０で示すように、携帯電話機Ｙの下部側の操作部をケース部１Ａの左右の保持枠部２Ａに差し込んだ場合（きちんとセットした時）、携帯電話機Ｙ側の下部の固定接触子が当接する。
【００２６】
しかして、本実施例では、携帯電話機Ｙ側の固定接触子との接触を良好ならしめるために、板バネ式の充電用端子２７，２７を採用している。
【００２７】
図１１は第２実施例の内部の電気回路を示す。符号２８は電源アダプタで、この電源アダプタ２８は、電源１６に接続され、電源電圧を所定の電圧にする。２７は充電用端子２７，２７である。２９は充電オン（ＯＮ）・オフ（ＯＦＦ）用の充電スイッチである。充電スイッチ２９は、電源が電池であることから、不必要な時は、電池が消耗しないように充電をオフ（ＯＦＦ）にすることができる。なお、この第２実施例において、家庭用交流電源も利用することができるように電源アダプタ２８と電気的に接続する図示しないコネクタを、ケース部１Ａの適宜箇所に設けても良い。
【００２８】
【発明の効果】
以上の説明から明らかなように、本発明にあっては、次に列挙するような作用・効果がある。
（１）音拡大携帯ホルダーＸと携帯電話機Ｙとを、いわばコンポーネント的に簡単に嵌合保持ないし結合させ、かつ、片手で手軽に持ち運びながら携帯電話機の音源（音声，音楽）をイヤホーンで聴くことができる。
（２）使用する場に捕われずに、いつでも、自由に好きな場所に載置して直ちに外付けスピーカのように使用することができる。特にこの使用態様の場合には、ダイナミックで音質のよい音楽等をスピーカから流すことができる。
（３）請求項２及び請求項３に記載の発明は、スピーカ部材が軸支されているので、スピーカを左右に広げることができる。その結果、臨場感を十分に出すことができる。
（４）また請求項２及び請求項３に記載の発明は、使用しない時や持ち運びの時、コンパクト化することができる。
（５）第２実施例は、携帯電話機が電源切れの緊急時、ケース部の内蔵電源或いは家庭用交流電源で補助的に充電することができる。
【図面の簡単な説明】
図１乃至図７は本発明の第１実施例を示す各概略説明図。図８乃至図１１は本発明の第２実施例を示す各概略説明図である。
【図１】第１実施例の斜視からの説明図。
【図２】正面からの説明図。
【図３】平面からの説明図。
【図４】背面からの説明図。
【図５】底面からの説明図。
【図６】内部の電気回路を示す説明図。
【図７】使用状態の一例を示す説明図。
【図８】第１実施例の正面からの説明図。
【図９】平面からの説明図。
【図１０】携帯電話機をきちんとセットした時の説明図。
【図１１】内部の電気回路を示す説明図。
【符号の説明】
Ｘ，Ｘ１…音拡大携帯ホルダー、Ｙ…携帯電話機、１，１Ａ…ケース部、１ａ…正面壁、１ｂ…側壁、２，２Ａ…保持枠部、３…入力端子（ジャック）、４…電源用スイッチ、５…切欠、６…収納切欠、１０…スピーカ部材、１１…支軸、１２…アーム部、１３…スピーカ、１５…電源収納部、１６…電源、１８…ボリューム、１９…切換えスイッチ、２０…回路基板、２１…増幅回路、２２…プラグ、２３…フレキスブルケーブル、２４…イヤホーン、２６…突壁部、２７…充電用端子、２８…電源アダプタ。
【図１】
2004096289.tif 000003
【図２】
2004096289.tif 000004
【図３】
2004096289.tif 000005
【図４】
2004096289.tif 000006
【図５】
2004096289.tif 000007
【図６】
2004096289.tif 000008
【図７】
2004096289.tif 000009
【図８】
2004096289.tif 000010
【図９】
2004096289.tif 000011
【図１０】
2004096289.tif 000012
【図１１】
2004096289.tif 000013